(57)【要約】【課題】設置場所の雰囲気に応じて自由にレイアウトおよび照射角度が変更可能であり、主に足元等を間接的に照明することができる照明装置を提供すること。【解決手段】一方の面に例えば有機ＥＬ素子による発光部５が搭載された発光パネル２と、前記発光パネルの下端部において第１連結部（ヒンジ部材）６を介して前記発光パネルを回動可能に支持するパネル支持部材３と、前記パネル支持部材の下端部において第２連結部（軸支機構）７を介して前記パネル支持部材を回動可能に支持する台座４より構成されている。前記発光パネルにおける発光部５は、前記第１連結部６によって俯角および仰角が調整可能になされ、かつ前記第２連結部７によって水平方向の向きが調整可能に構成されている。【選択図】図１
2010009970.tif 000002
【特許請求の範囲】
【請求項１】
少なくとも一方の面に発光部が形成された発光パネルと、前記発光パネルの端部において第１連結部を介して前記発光パネルを回動可能に支持するパネル支持部材と、前記パネル支持部材の下端部において第２連結部を介して前記パネル支持部材を回動可能に支持する台座より構成され、
前記発光パネルにおける発光部は、前記第１連結部によって少なくとも俯角および仰角が調整可能になされ、かつ前記第２連結部によって水平方向の向きが調整可能に構成されていることを特徴とする照明装置。
【請求項２】
前記発光パネルおよびパネル支持部材がそれぞれ矩形のパネル状に形成され、前記発光パネルおよびパネル支持部材のそれぞれの一辺において、前記第１連結部を構成するヒンジ部材を介して両者が連結されていることを特徴とする請求項１に記載された照明装置。
【請求項３】
前記パネル支持部材は、前記第２連結部を構成する支軸機構を介して前記台座上に回転可能に樹立されていることを特徴とする請求項１に記載された照明装置。
【請求項４】
前記第１連結部および／または第２連結部にはクリック機構が付加され、当該クリック機構によって前記発光パネルの姿勢が係止可能に構成されていることを特徴とする請求項１ないし請求項３のいずれか１項に記載された照明装置。
【請求項５】
前記発光部が有機ＥＬ素子により構成されていることを特徴とする請求項１ないし請求項４のいずれか１項に記載された照明装置。
【請求項６】
前記台座が筐体により構成され、前記筐体内に前記発光部を点灯駆動するための駆動電源部が収容されていることを特徴とする請求項１ないし請求項５のいずれか１項に記載された照明装置。
【発明の詳細な説明】
【技術分野】
【０００１】
この発明は、例えば有機ＥＬ（エレクトロルミネッセンス）素子に代表される面発光光源を用い、特にフットライト（足元灯）などのような一部を間接照明するに適した照明装置に関する。
【背景技術】
【０００２】
従来よりイベント会場やホール施設など、またその廊下や階段等には主に足元部分を照明するフットライトが採用されている。従来におけるフットライトは前記したイベント会場やホール施設の足元に近い壁面に光源が埋め込まれて構成されるものが主流であり、例えば特許文献１および２に開示されたように灯器具本体内に光源としての電球を収容し、これを乳白色のアクリル樹脂等による透光性カバーで覆った構成にされている。
【特許文献１】特開平９−２８２９１１号公報
【特許文献２】特開平１０−９７８０４号公報
【０００３】
前記した構成のフットライトにおいては、電球を収容した灯器具本体を壁面に後付けするために、壁面への孔穿け工事などの施工が必要であり、このために施工費用や施工期間が必要であるなど制約が多い。また電球からの放熱対策等も考慮する必要がある等の問題も抱えている。
【０００４】
ところで昨今においては、面発光源として機能する有機ＥＬ素子が提案されている。この有機ＥＬ素子は直流の低電圧により駆動されることで高い発光効率を有し、軽量かつ薄型化が可能であると共に、ほとんど発熱がないという特質を有している。
【０００５】
また、有機ＥＬ素子はＥＬ発光層に用いる素材の選択により、Ｒ（赤）、Ｇ（緑）、Ｂ（青）の各発光色を得ることができ、したがって前記した各発光色を単独で、または二種以上の発光色を組み合わせることにより、白色もしくはこれに近い発光色を得ることも可能となる。それ故、有機ＥＬ素子を面発光源（発光パネル）として構成することで、例えば装飾用の光源や、室内等を照明する高効率な光源として利用することができる。
【発明の開示】
【発明が解決しようとする課題】
【０００６】
この発明は、光源に電球を収容した従来のフットライト等の照明装置に代えて、前記した有機ＥＬ素子に代表される面発光光源を用いた照明装置を提供しようとするものであり、設置場所の雰囲気に応じて自由にレイアウトおよび照射角度が変更可能であり、主に足元等を間接的に照明することで落ち着いた雰囲気作りを図ることができる装飾効果に優れた照明装置を提供することを課題とするものである。
【課題を解決するための手段】
【０００７】
前記した課題を解決するためになされたこの発明にかかる照明装置の基本構成は、少なくとも一方の面に発光部が形成された発光パネルと、前記発光パネルの端部において第１連結部を介して前記発光パネルを回動可能に支持するパネル支持部材と、前記パネル支持部材の下端部において第２連結部を介して前記パネル支持部材を回動可能に支持する台座より構成され、前記発光パネルにおける発光部は、前記第１連結部によって少なくとも俯角および仰角が調整可能になされ、かつ前記第２連結部によって水平方向の向きが調整可能に構成されている点に特徴を有する。
【０００８】
この場合、好ましい形態においては、前記発光パネルおよびパネル支持部材がそれぞれ矩形のパネル状に形成され、前記発光パネルおよびパネル支持部材のそれぞれの一辺において、前記第１連結部を構成するヒンジ部材を介して両者が連結された構成にされる。また、好ましくは前記パネル支持部材は、前記第２連結部を構成する支軸機構を介して前記台座上に回転可能に樹立された構成にされる。
【０００９】
加えて、前記第１連結部および／または第２連結部にはクリック機構が付加され、当該クリック機構によって前記発光パネルの姿勢が係止可能となるように構成されていることが望ましい。
【００１０】
そして、前記発光部は有機ＥＬ素子により構成されていることが望ましく、さらに前記台座が筐体により構成され、好ましくは前記筐体内に前記発光部を点灯駆動するための駆動電源部が収容された構成にされる。
【発明の効果】
【００１１】
前記した構成の照明装置によると、イベント会場やホール施設、またその廊下や階段等の壁面に沿って間欠的にこれを複数配置し、それぞれ第１および第２連結部を利用して前記発光パネル面を壁面に向けるように設定することで、間接的に足元を照明するフットライトとしての機能を発揮させることができる。
【００１２】
この場合、第１および第２連結部にクリック機構を付加した構成にすることで、各発光パネルは任意の位置（姿勢）に係止可能となり、その取り扱いも容易にすることができる。加えて前記した照明装置は、好みに応じてそれぞれ独立してレイアウトすることができるので、前記したフットライトの機能に限らず良好な演出効果や雰囲気作りを図ることができ、装飾効果に優れた照明効果を発揮させることが可能となる。
【００１３】
そして、前記発光パネルに装着される発光部として有機ＥＬ素子を用いることで、高い発光効率を有し、軽量にしてほとんど発熱を伴わない照明装置として卓越した作用効果を発揮させることができる。
【発明を実施するための最良の形態】
【００１４】
以下、この発明にかかる照明装置について、図に示す実施の形態に基づいて説明する。図１および図２は、その全体構成を示したものであり、図１は照明装置を正面側の斜め上方から見た状態の斜視図で、図２は同じく背面側の斜め上方から見た状態の斜視図で示したものである。
【００１５】
図１および図２に示されたように、この照明装置１は、大きく別けて上から順に矩形状の発光パネル２、同じく矩形状にして板状（パネル状）に形成された発光パネルの支持部材（以下、単にパネル支持部材と称する。）３、および筐体状に形成された台座４より構成されている。
【００１６】
発光パネル２は前記したとおり全体が矩形状に形成され、その一方の面には有機ＥＬ素子により形成された略正方形状の発光部５が取り付けられ、前記発光パネル２は前記発光部５を中央にして額縁状に形成されている。
【００１７】
図３は、前記した発光部５としての有機ＥＬ素子（発光部と同一の符号５で示す。）の構成例を説明するものであり、図３においては有機ＥＬ素子５を構成する各層を層方向に分離した状態で示している。すなわち、この種の有機ＥＬ素子５は、例えばガラス等の透明な素材により形成された基板５ａの片面に、第１電極となる例えばＩＴＯによる透明電極５ｂが形成される。
【００１８】
また、前記透明電極５ｂに重畳されるようにして有機発光層５ｃが成膜される。この有機発光層は、例えばホール輸送層、発光層、電子輸送層などにより構成されるが、図においては一層の有機発光層５ｃとして示している。そして、前記有機発光層５ｃに重畳されるようにして第２電極となる例えばアルミニウムなどによる対向電極５ｄが形成される。
【００１９】
これに加えて、図には示していないが対向電極５ｄの背面側には封止基板が配置され、この封止基板は、前記した前面側のガラス基板５ａの周縁部において封止部材により封止される。
【００２０】
そして、前記透明電極５ｂと、対向電極５ｄとの間には直流電源Ｅが接続され、これにより有機発光層５ｃにおける前記透明電極５ｂと対向電極５ｄで挟まれた部分が発光し、その光は前記透明電極５ｂおよびガラス基板５ａを透過して外部に導出される。
【００２１】
前記した有機ＥＬ素子による発光部５を搭載した発光パネル２は、図１および図２に示すように、その下端部の一辺において第１連結部６としてのヒンジ部材（第１連結部と同じ符号６で示す。）を介して、パネル支持部材３の上端部の一辺に回動可能に取り付けられている。すなわち、前記発光パネル２における発光部５は、前記第１連結部として機能するヒンジ部材６によって俯角および仰角が調整できるように構成されている。なお、前記ヒンジ部材６の詳しい構成については後で説明する。
【００２２】
前記パネル支持部材３は縦長の矩形状に形成されており、その下端部の中央において第２連結部７として機能する軸支機構（第２連結部と同じ符号７で示す。）を介して、筐体状に形成された台座４の中央部において回転可能に支持されている。
【００２３】
すなわち前記パネル支持部材３は支軸機構７によって台座４上に水平方向に回転可能に支持されており、これにより前記発光パネル２における発光部５は、前記第２連結部としての支軸機構７によって水平方向の向きが調整可能となるように構成されている。なお、前記支軸機構７の詳しい構成については後で説明する。
【００２４】
また、前記台座４は全体が偏平状に形成された筐体により構成されており、前記筐体内には前記発光部５を点灯駆動するための駆動電源部（図示せず）が収容されている。この駆動電源部は、ＡＣの商用電源から直流の低電圧を生成するＡＣ−ＤＣコンバータ、また電池または必要に応じて電池電圧をステップアップさせるＤＣ−ＤＣコンバータを備える場合もある。
【００２５】
図４は、前記した第１連結部としてのヒンジ部材６、第２連結部としての軸支機構７の要部を照明器具１の裏面側より見た状態を拡大して示したものである。この実施の形態における第１連結部としてのヒンジ部材６は、３個のヒンジ金具により構成されており、そのうち１つのヒンジ金具６Ａを通る線ａ−ａより矢印方向に見た状態の拡大断面図を図５（Ａ）に示している。また図５（Ａ）において、線ｂ−ｂより矢印方向に見た状態の断面図を図５（Ｂ）に示している。
【００２６】
図５に示されたように、前記ヒンジ金具６Ａは、前記発光パネル２側に取り付けられた上側部材６ａと、前記パネル支持部材３側に取り付けられた下側部材６ｂより構成されており、上側部材６ａによって、その中央部が支持された水平軸６ｃの両端部を、下側部材６ｂの二股部が回動可能に軸支する構成にされている。
【００２７】
そして、水平軸６ｃを支える上側部材６ａには、図５（Ａ）に示すように水平軸６ｃと同心円状に大径部が形成され、当該大径部には歯車状の凹凸部６ｄが下側の半周に沿って形成されている。またヒンジ金具６Ａを形成する下側部材６ｂには、上向きにボール６ｅを突出させるように支持しており、このボール６ｅは前記上側部材６ａに形成された歯車状の凹凸部６ｄに当接している。
【００２８】
すなわち、ヒンジ金具６Ａには前記した歯車状の凹凸部６ｄとこれに当接するボール６ｅとによりクリック機構が形成されている。このクリック機構によって、前記発光パネル２は予め定められた所定の角度（この実施の形態においては３０度ごとの角度）をもって、発光部５の俯角および仰角が調整できるように作用する。
【００２９】
図５（Ｂ）に示すように、前記したクリック機構はヒンジ金具６Ａにおいて一組（一対）形成されており、また図４に示した３個のヒンジ金具のうち、中央部のヒンジ金具を除いた他の外側のヒンジ金具にも同様の構成によるクリック機構が形成されている。
【００３０】
一方、図４に示した第２連結部としての軸支機構７の要部が、図６に拡大断面図として示されている。なお、図６に示す拡大断面図は、図１に示したｃ−ｃ線から見た拡大断面図でもある。
【００３１】
図６において、符号７ａはパネル支持部材３をその下端部において支持する軸部材であり、この軸部材７ａは、台座４の中央部において台座に取り付けられた軸受け部７ｂに挿通されて回転可能に支持されている。そして、前記台座４内にはボール７ｃが前記軸部材７ａの周側壁に当接するように配置されている。前記軸部材７ａにおける前記ボール７ｃの当接位置には、周側面に沿って歯車状の凹凸部７ｄが形成されている。
【００３２】
すなわち、前記軸部材７ａの周側面には、図５（Ａ）に示した歯車状の凹凸部６ｄと同様な凹凸部７ｄが形成されており、この凹凸部７ｄに当接する前記ボール７ｃとにより、クリック機構が形成されている。このクリック機構によって、予め定められた所定の角度（この実施の形態においては３０度ごとの角度）をもって、前記パネル支持部材３が水平方向に回転位置が調整できるようになされる。
【００３３】
以上説明した第１連結部としてのヒンジ部材６に形成されたクリック機構、第２連結部としての軸支機構７に形成されたクリック機構の作用により、前記発光パネル２における発光部５は任意の姿勢で係止可能になされるので、その取り扱いも容易にすることができ、前記した発明の効果の欄に記載した独自の作用効果を得ることができる。
【００３４】
そして、例えばイベント会場やホール施設など、またその廊下や階段等の壁面に沿ってこの照明装置を配置し、主にその壁面を照射することで、フットライト（足元灯）としての間接照明灯の機能を発揮させることができる。またこの照明装置は他に電気スタンド、スポットライトとして利用することも可能である。
【００３５】
なお、以上説明した実施の形態においては、パネル支持部材３はこの上に搭載される発光パネル２の幅とほぼ同様の幅をもって形成されているが、このパネル支持部材３の幅は、発光パネル２の幅よりも狭く形成されていてもよく、またより広く形成されていてもよい。
【００３６】
また、実施の形態においては、発光部５に有機ＥＬ素子を用いているが、これは無機ＥＬ素子、もしくはその他の面発光体を用いることもできる。さらに、用途に応じて発光部５は発光パネル２の両面にそれぞれ形成されている構成も採用し得る。
【００３７】
また、実施の形態においては、前記第１連結部６としてヒンジ部材を用いているが、この第１連結部６として例えばユニバーサルジョイントを用いることで、発光パネル２における発光部５は、俯角および仰角を含む他の姿勢の調整も可能にすることができる。
【００３８】
さらに、前記したパネル支持部材３にも平面状の発光部を形成し、発光パネ２に取り付けられた発光部５とパネル支持部材３に取り付けられた発光部との両者を点灯もしくは択一的に点灯させるように構成することもできる。
【図面の簡単な説明】
【００３９】
【図１】この発明に係る照明装置を正面側の斜め上方から見た状態の斜視図である。
【図２】同じく背面側の斜め上方から見た状態の斜視図である。
【図３】平面発光部としての有機ＥＬ素子の構成例を説明する模式図である。
【図４】第１連結部と第２連結部の要部を裏面側より見た状態の拡大図である。
【図５】第１連結部としてのヒンジ部材の構成を示した拡大断面図である。
【図６】第２連結部としての軸支機構の構成を示した拡大断面図である。
【符号の説明】
【００４０】
１    照明装置
２    発光パネル
３    パネル支持部材
４    台座
５    発光部
６    第１連結部（ヒンジ部材）
６Ａ  ヒンジ金具
６ａ  上側部材
６ｂ  下側部材
６ｃ  水平軸
６ｄ  凹凸部
６ｅ  ボール
７    第２連結部（軸支機構）
７ａ  軸部材
７ｂ  軸受け部
７ｃ  ボール
７ｄ  凹凸部
【図１】
2010009970.tif 000003
【図２】
2010009970.tif 000004
【図３】
2010009970.tif 000005
【図４】
2010009970.tif 000006
【図５】
2010009970.tif 000007
【図６】
2010009970.tif 000008